【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
物品を格納する着用可能なベルトであって、
長手方向軸を有する第１の弾性材料と；
当該ベルトの両端部が解放可能に互いにつながり得るようにさせる第１のファスナと；
前記第１の弾性材料とは異なる１以上の弾性材料を有するポーチと；
を有し、
該ポーチは、
（ｉ）内部体積を封入するよう、前記ベルトの背部において前記１以上の弾性材料を折り畳むことと、
（ｉｉ）前記ポーチの前記内部体積を封入するよう、当該ベルトの前部に、第２のファスナを与えることと、
（ｉｉｉ）該第２のファスナによって、前記長手方向軸に平行な方向に前記ポーチの弾性が制限されることと、
を特徴とする、
着用可能なベルト。
【請求項２】
前記１以上の弾性材料は、前記長手方向軸の方向に対して平行な方向におけるよりも前記長手方向軸に対して横断する方向においてより弾性である、一方向伸縮性材料である、
請求項１記載の着用可能なベルト。
【請求項３】
前記第１又は第２のファスナは、ジッパーファスナである、
請求項１記載の着用可能なベルト。
【請求項４】
前記第１又は第２のファスナは、ヴェルクロ封鎖具である、
請求項１記載の着用可能なベルト。
【請求項５】
当該ベルトは、前記長手方向軸に対して垂直である幅を備え、
折り畳んだ前記ポーチの前記幅は、最小の前記幅の１．５倍より小さい、
請求項１乃至４のうちいずれか一項記載の着用可能なベルト。
【請求項６】
前記ポーチは、前記長手方向軸に対して横断する方向において少なくとも１００パーセント拡張可能である、
請求項１乃至５のうちいずれか一項記載の着用可能なベルト。
【請求項７】
前記ポーチの前記内部体積は、少なくとも２００パーセント拡張可能である、
請求項１乃至６のうちいずれか一項記載の着用可能なベルト。
【請求項８】
前記ポーチは、前記長手方向軸において略中心に置かれる、
請求項１乃至７のうちいずれか一項記載の着用可能なベルト。
【請求項９】
前記１以上の弾性材料は、逆反射材料である、
請求項１乃至８のうちいずれか一項記載の着用可能なベルト。
【請求項１０】
前記１以上の弾性材料は、逆反射材料を有する、
請求項１乃至９のうちいずれか一項記載の着用可能なベルト。
【請求項１１】
前記１以上の弾性材料は、前記長手方向軸に対して平行である方向においてよりも前記長手方向軸に対して横断する方向においてより弾性である非対称の拡張可能材料である、
請求項１乃至１０のうちいずれか一項記載の着用可能なベルト。
【請求項１２】
前記ポーチは、１つ又はそれより多くの長手方向プリーツを備え、該プリーツは、前記長手方向軸に対して実質的に平行であり、また前記ポーチの前記内部体積が前記長手方向軸に対して横断する方向において拡張するようにする、
請求項１乃至１１のうちいずれか一項記載の着用可能なベルト。
【請求項１３】
前記ポーチは、前記ベルトからつり下がらない、
請求項１乃至１２のうちいずれか一項記載の着用可能なベルト。
【請求項１４】
当該ベルトに対して取り付けられる１つ又はそれより多くのフックを更に有し、該１つ又はそれより多くのフックは、ランナーのレース番号を取り付けるのに適切である、
請求項１乃至１３のうちいずれか一項記載の着用可能なベルト。
【請求項１５】
物品を格納する着用可能なベルトを形成する方法であって、
長手方向軸を有する第１の弾性材料を与える段階と；
前記ベルトの両端部が解放可能に互いにつながり得るようにさせる第１のファスナを前記両端部に取り付ける段階と；
前記第１の弾性材料とは異なる１以上の弾性材料を有するポーチを形成する段階と；
を有し、
該ポーチは、
（ｉ）内部体積を封入するよう、前記ベルトの背部において前記１以上の弾性材料を折り畳むことと、
（ｉｉ）前記ポーチの前記内部体積を封入するよう、前記ベルトの前部に、第２のファスナを与えることと、
（ｉｉｉ）該第２のファスナによって、前記長手方向軸に平行な方向に前記ポーチの弾性が制限されることと、
によって形成される、
方法。
【手続補正２】
【補正対象書類名】明細書
【補正対象項目名】００５４
【補正方法】変更
【補正の内容】
【００５４】
本願の範囲は、明細書に記載される工程、機械、製造、組成物、手段、方法、及び段階の特定の実施例に制限されるよう意図されない。本発明の開示から当業者が容易に理解する通り、本願に記載される対応する実施例と実質的に同一の機能を実行するかあるいは実質的に同一の結果を達成する、既存であるかあるいは後に開発される工程、機械、製造、組成物、手段、方法、又は段階は、本発明に従って利用され得る。したがって、添付の請求項は、かかる工程、機械、製造、組成物、手段、方法、又は段階をその範囲内に有するよう意図される。更には、特記されない限り図面は、実寸大で描かれていない。
以上の実施例に関し、更に以下の付記を開示する。
（付記１）
物品を格納する着用可能な装置であって、
長手方向軸を有する第１及び第２のセクションを有する、第１の弾性材料を有するベルトと、
前記第１及び第２のセクションの遠位端部が解放可能に共につながり得るようファスナを有する遠位端部を備え、共に取り付けられない近位端部を備える、各セクションと、
上部エッジ、下部エッジ、及び側部エッジを備える全般的に矩形の形状である第２の弾性材料を有するシームレス片から形成されるポーチと、
を有し、
該ポーチは、
（ｉ）内部体積を封入するよう前記上部エッジ及び下部エッジを接合するよう、前記第２の弾性材料片を折り畳むことと、
（ｉｉ）各ベルトセクションの前記端部の周囲に各側部エッジを集合させ、前記封入された内部体積が前記ポーチの各側部に対して密封されるよう、該集合されたセクションを前記ベルトセクションの前記近位端部に対して取り付けることと、
（ｉｉｉ）前記ポーチの前記内部体積を完全に封入するよう前記上部及び下部エッジを解放可能に共に取り付けるようファスナを与えることと、
によって形成される、
着用可能な装置。
（付記２）
各ベルトセクションの前記端部の周囲に各側部エッジを集合させ、該集合されたセクションを前記ベルトセクションに対して取り付けることは、前記ポーチの材料において１つ又はそれより多くの長手方向プリーツを形成することを有する、
付記１記載の着用可能な装置。
（付記３）
前記第２の弾性材料は、前記軸方向に対して平行な方向におけるよりも前記ベルトセクションの前記長手方向軸に対して横断する方向においてより弾性である、一方向伸縮性材料である、
付記１記載の着用可能な装置。
（付記４）
前記ファスナは、ジッパーファスナである、
付記１記載の着用可能な装置。
（付記５）
前記ファスナは、ヴェルクロ封鎖具である、
付記１記載の着用可能な装置。
（付記６）
前記ベルトセクションの各々は、長手方向軸と、ベルトの長手方向軸に対して垂直である幅とを備え、
前記ポーチは、長手方向軸と、前記ポーチの長手方向軸に対して垂直である幅とを備え、拡張されないポーチの前記幅は、ベルトセクションの前記幅の１．５倍より小さい、
付記１記載の着用可能な装置。
（付記７）
前記ポーチの前記幅は、前記ベルトセクションの前記幅のわずか１．２５倍である、
付記６記載の着用可能な装置。
（付記８）
前記ポーチは、前記長手方向軸に対して横断する方向において少なくとも１００パーセント拡張可能である、
付記１記載の着用可能な装置。
（付記９）
前記ポーチの前記内部体積は、少なくとも２００パーセント拡張可能である、
付記１記載の着用可能な装置。
（付記１０）
前記ポーチは、長手方向軸を備え、該長手方向軸は、前記ベルトセクションの前記長手方向軸と同軸である、
付記１記載の着用可能な装置。
（付記１１）
前記ポーチは、ベルト材料から釣り下げられるポーチを有するユーザの周囲に延在する単一ベルト材料を備えることとは対照的に、前記ポーチの対向する側部における前記ベルトの前記近位端部間において引張力を有する、
付記１記載の着用可能な装置。
（付記１２）
前記ポーチは、前記ベルト軸において略中心に置かれる、
付記１記載の着用可能な装置。
（付記１３）
前記ポーチを形成する前記第２の弾性材料は、逆反射材料である、
付記１記載の着用可能な装置。
（付記１４）
前記第１の弾性材料は、逆反射材料を有する、
付記１記載の着用可能な装置。
（付記１５）
物品を格納する着用可能な装置であって、
長手方向軸を有する第１及び第２のセクションを有する、第１の弾性材料を有するベルトと、
前記ベルトの前記第１及び第２のセクション間において延在するシームレス一個構成拡張可能材料を有して構成されるポーチと、
を有し、
該ポーチは、前記ベルトセクションの前記長手方向軸に対して平行である方向におけるよりも前記ベルトセクションの前記長手方向軸に対して横断方向においてより大きな拡張性能を備え、非対称の拡張性により、前記ポーチは、物品をしっかりと保持するよう横断方向において拡張し得る一方、前記ベルトは、着用者においてしっかりと留まり得る、
着用可能な装置。
（付記１６）
前記拡張可能材料は、前記ベルトセクションの前記長手方向軸に対して平行である方向においてよりも前記ベルトセクションの前記長手方向軸に対して横断する方向においてより弾性である非対称の拡張可能材料である、
付記１５記載の着用可能な装置。
（付記１７）
前記拡張可能材料は、１つ又はそれより多くの長手方向プリーツを備える材料を有し、該プリーツは、前記ベルトセクションの前記長手方向軸に対して実質的に平行であり、また前記ポーチの前記内部体積がベルト軸に対して横断する方向において拡張するようにする、
付記１５記載の着用可能な装置。
（付記１８）
前記ポーチは、前記ベルトの構造の一部を形成し、前記ベルトからつり下がらない、
付記１５記載の着用可能な装置。
（付記１９）
前記ベルトに対して取り付けられる１つ又はそれより多くのフックを更に有し、該１つ又はそれより多くのフックは、ランナーのレース番号を取り付けるよう適切である、
付記１５記載の着用可能な装置。